(57)【要約】【課題】複数基のエレベータが同一エレベータホールで利用停止可能となっている場合に、どの順番にてエレベータかごが出発するのかを認識し得て、利用者の利用基判断を含めた焦燥感を除去することができるエレベータ用報知装置を提供する。【解決手段】エレベータ呼び釦１６の操作（若しくは検知センサー２０の利用者自動検知）によりエレベータホール１１を各階毎で共有する複数基のエレベータの各エレベータかごに対する包括的なエレベータ呼び信号が発生され、エレベータ呼び釦１６からの包括的なエレベータ呼び信号を受信した判断部によりその呼び階における各エレベータかごの出発順序が判断され、その判断部の判断結果に基づいて出発予告表示器１８，１９が複数の予告灯１８ａ，１９ａ，１８ｂ，１９ｂ，１８ｃ，１９ｃを用いてエレベータホール１１から出発するエレベータかごを順序だてして利用者に認識させる。【選択図】　　　　図１
2004018182.tif 000002
【特許請求の範囲】
【請求項１】
エレベータホールを各階毎で共有する複数基のエレベータの各エレベータかごに対する包括的なエレベータ呼び信号を発生させる発生器と、該発生器からの包括的なエレベータ呼び信号を受信した後にその呼び階における前記各エレベータかごの出発順序を判断する判断部と、該判断部の判断結果に基づいて前記エレベータホールから出発する前記エレベータかごを順序だてして利用者に認識させる複数の予告灯を一体に有する出発予告表示器とを備えていることを特徴とするエレベータ用報知装置。
【請求項２】
前記出発予告表示器は、前記複数のエレベータが三基以上ある場合には、少なくとも先発・次発・次次発までの三つの前記予告灯を有することを特徴とする請求項１に記載のエレベータ用報知装置。
【請求項３】
前記出発予告表示器は、前記各予告灯の表示色を異ならせていることを特徴とする請求項１又は請求項２に記載のエレベータ用報知装置。
【請求項４】
前記出発予告表示器は、前記エレベータホールの出入口付近に設置され且つその表裏に前記各予告灯を有することを特徴とする請求項１乃至請求項３の何れか一つに記載のエレベータ用報知装置。
【請求項５】
前記発生器は、前記出発予告表示器に設置されて前記エレベータホールの出入口から侵入する利用者を自動的に検出する群管理用検知センサーであることを特徴とする請求項４に記載のエレベータ用報知装置。
【発明の詳細な説明】
【０００１】
【発明の属する技術分野】
本発明は、利用者が目視可能となるようにエレベータホール（乗場）に設置されたエレベータ用報知装置に関する。
【０００２】
【従来の技術】
従来から、複数基のエレベータかごが隣接状態若しくは対向状態で設置された建物におけるエレベータホール（乗場）には、そのエレベータホールに設置のエレベータ呼び釦を操作した時点で最初に到着するであろうエレベータかごに対応する報知灯が点灯し、どのエレベータ扉付近で待機していれば良いかを利用者が容易に認識することができるようにした報知装置を設けたものが周知である。
【０００３】
図４及び図５は、このようなエレベータ用報知装置の一例を示す（実公昭５７−３４２２７号公報参照）。
【０００４】
図４（Ａ）は従来のエレベータ用報知装置の設置例を示すエレベータホールの説明図、図４（Ｂ）は従来の到着予告表示器の正面図、図５は八基のエレベータを設けた場合のエレベータ配置例の説明図である。
【０００５】
今、図５に示すように、互いに隣接するエレベータＥがエレベータホール（乗り場）１を挟んで合計八基設けられ、それぞれが独立して上昇又は下降するものとする。
【０００６】
図４（Ａ）において、２はエレベータホール１において各エレベータＥ毎に設けられたエレベータ扉、３は各エレベータ扉２の上方に設けられて点灯又は点滅可能な上昇用到着報知灯、４は各エレベータ扉２の上方に上昇用到着報知灯３と隣接して設けられて点灯又は点滅可能な下降用到着報知灯、５はエレベータ扉２を区切る壁６に設置されて上昇用呼び釦５ａ及び下降用呼び釦５ｂを上下に配置したエレベータ呼び釦、７は建物天井等に設けられた到着予告表示器である。
【０００７】
この到着予告表示器７は、例えば、エレベータホール１の出入口二箇所に設けられ（図５参照）、図４（Ｂ）に示すように、図示上下に２分割されており、その下部には『しばらくお待ちください』などのメッセージを表示する第一段階予告灯７ａが設けられ、その上部には第一段階予告灯７ａが表示するメッセージよりも時間的に短い意味として『まもなく参ります』などのメッセージを表示する第二段階予告灯７ｂとが独立して点灯可能に設けられている。
【０００８】
尚、上昇用到着報知灯３と下降用到着報知灯４、並びに、上昇用呼び釦５ａと下降用呼び釦５ｂは、図示例のようにエレベータホール１が建物（図示せず）の途中階である場合には上下双方が設けられているが、建物の最下階（若しくは、エレベータ駆動の最下階）の場合には、それ以下のエレベータかごの下降は考えられないので上昇用到着報知灯３と上昇用呼び釦５ａとが設置されて下降用到着報知灯４と下降用呼び釦５ｂとは設置されない。同様に、建物の最上階（若しくは、エレベータ駆動の最上階）の場合には、それ以上のエレベータかごの上昇は考えられないので下降用到着報知灯４と下降用呼び釦５ｂとが設置されて上昇用到着報知灯３と上昇用呼び釦５ａとは設置されない。
【０００９】
また、実公昭５７−３４２２７号公報に開示されたエレベータは、管理方式として割り当て方式を採用している。この割り当て方式とは、建物の各階に生じた呼び（エレベータ呼び釦５の操作）を自動的に規定の順序で選択し、エレベータかごを順次これらの呼びに割り当てることにより運転する方式である。
【００１０】
今、エレベータ呼び釦５が操作されていない状態、即ち、各到着報知灯３，４並びに到着予告表示器７は表示されていないものとする。
【００１１】
この状態から、エレベータ呼び釦５の上昇用呼び釦５ａを利用者が押圧操作すると、図示しない点灯制御回路により到着予告表示器７の第一段階予告灯７ａに『しばらくお待ちください』等のメッセージが表示される。
【００１２】
また、上述した割り当て方式により、呼び出し階に一番早く到着するであろうエレベータかごの割り当てが行なわれた後、第一段階予告灯７ａの消灯と同時に第二段階予告灯７ｂが点灯し、『まもなく参ります』等のメッセージが表示される。
【００１３】
さらに、エレベータかごが減速距離分だけ呼び出し階の手前に到着すると、第二段階予告灯７ｂの消灯と同時に上昇用到着報知灯３が点灯し、エレベータかごの実際の到着を認識することができる。
【００１４】
【発明が解決しようとする課題】
ところで、上記の如く構成されたエレベータ用報知装置にあっては、エレベータかごの到着前に、到着予告表示器７が段階的に予告表示を行うことから、エレベータ呼び釦５の操作に対する応答があったということ（点検や故障・地震発生によってエレベータかごが停止していないということ）を認識することができると同時に、利用階に近付いてきているという状況を認識することができ、これにより、エレベータかごが何時到着するのかといった焦燥感を取り除くことができるという効果を奏することができる。
【００１５】
しかしながら、どのエレベータかごが到着するのかは到着予告表示器７では認識することができず、どのエレベータ扉２の前で待機していれば良いかを判断し得ない上、結果的にエレベータかごが実際に到着する直前に上昇用到着報知灯３又は下降用到着予告灯４が点灯したときに慌てて移動するなど、利用者の混乱を含めた焦燥感を除去することは不可能であった。
【００１６】
そこで、近年のエレベータには、全てのエレベータＥに対して（又は、いくつかのエレベータＥを組として）一つのエレベータ呼び釦５が設置され、このエレベータ呼び釦５の操作に伴う割り当て決定後にどのエレベータ扉２のエレベータかごが到着するのかを上昇用到着報知灯３又は下降用到着報知灯４の点滅で利用者に認識させる予告灯機能を具備させ、実際にエレベータかごが到着したときに上昇用到着報知灯３又は下降用到着報知灯４を点灯に切り換える（点灯・点滅は逆でも良い）ようにしたものも知られている。
【００１７】
しかしながら、このように上昇用到着報知灯３並びに下降用到着報知灯４に予告機能を具備させ、どのエレベータかごが先に到着するのかを認識可能としたものであっても、例えば、高層ビルにおける朝の出勤時等、特定の利用階のエレベータホール１に利用者が多数集中するような場合に、エレベータホール１の周辺にいる利用者の数とエレベータかごとの許容人数とを利用者自身が比較判断し、次に到着するであろうエレベータかごまで順番待ちをしようとする場合には、その次に到着するであろうエレベータかごまでは認識することができず、利用者の利用基判断を含めた焦燥感を除去し得るものではなかった。
【００１８】
また、実開平５−７２８７０号公報に示すように、エレベータホール１の入り口付近に乗客感知センサー（図示せず）を設け、この乗客感知センサーが利用者（乗客）を感知した時点でエレベータ呼び釦５を操作したのと同様の動作を開始してエレベータかごの呼びを自動で行うようにした群管理運転システムも知られているが、このような技術を上述した表示等の報知技術に組み合わせて採用しても、エレベータかごの複数呼び並びに割り当ては可能となったとしても、利用者が順番認識をすることまでは実現することができなかった。
【００１９】
本発明は、上記問題を解決するため、複数基のエレベータが同一エレベータホールで利用停止可能となっている場合に、どの順番にてエレベータかごが出発するのかを認識し得て、利用者の利用基判断を含めた焦燥感を除去することができるエレベータ用報知装置を提供することを目的とする。
【００２０】
【課題を解決するための手段】
その目的を達成するため、本発明のエレベータ用報知装置は、エレベータホールを各階毎で共有する複数基のエレベータの各エレベータかごに対する包括的なエレベータ呼び信号を発生させる発生器と、該発生器からの包括的なエレベータ呼び信号を受信した後にその呼び階における前記各エレベータかごの出発順序を判断する判断部と、該判断部の判断結果に基づいて前記エレベータホールから出発する前記エレベータかごを順序だてして利用者に認識させる複数の予告灯を一体に有する出発予告表示器とを備えていることを特徴とする。
【００２１】
このような構成においては、発生器によりエレベータホールを各階毎で共有する複数基のエレベータの各エレベータかごに対する包括的なエレベータ呼び信号が発生され、発生器からの包括的なエレベータ呼び信号を受信した判断部によりその呼び階における各エレベータかごの出発順序が判断され、その判断部の判断結果に基づいて出発予告表示器が複数の予告灯を用いてエレベータホールから出発するエレベータかごを順序だてして利用者に認識させる。
【００２２】
これにより、利用者は、どの順番でエレベータかごが出発するのかを容易に認識することができる。
【００２３】
また、本発明のエレベータ用報知装置は、前記出発予告表示器は、前記複数のエレベータが三基以上ある場合には、少なくとも先発・次発・次次発までの三つの前記予告灯を有することを特徴とする。
【００２４】
また、本発明のエレベータ用報知装置は、前記出発予告表示器は、前記各予告灯の表示色を異ならせていることを特徴とする。
【００２５】
また、本発明のエレベータ用報知装置は、前記出発予告表示器は、前記エレベータホールの出入口付近に設置され且つその表裏に前記各予告灯を有することを特徴とする。
【００２６】
さらに、本発明のエレベータ用報知装置は、前記発生器は、前記出発予告表示器に設置されて前記エレベータホールの出入口から侵入する利用者を自動的に検出する群管理用検知センサーであることを特徴とする。
【００２７】
【発明の実施の形態】
次に、本発明のエレベータ用報知装置の実施の形態を図１乃至図３に基づいて説明する。
【００２８】
尚、この実施の形態においても、図３に示すように、互いに隣接するエレベータＥが乗り場としてのエレベータホール１１を挟んで合計八基設けられ、それぞれが独立して上昇又は下降する場合に適用して説明する。
【００２９】
図１は本発明の実施の形態に係るエレベータ用報知装置を示し、図１（Ａ）はエレベータ用報知装置の設置例を示すエレベータホールの説明図、図１（Ｂ）は出発予告表示器の正面図である。
【００３０】
図１（Ａ）において、１１はエレベータホール、１２は各階のエレベータホール１１に対して各エレベータＥ毎に対応して設けられたエレベータかご（図示せず）の出入口開閉用のエレベータ扉、１３はエレベータ扉１２の各々の上方に設けられて点灯又は点滅可能な上昇用到着報知灯、１４はエレベータ扉１２の各々の上方に上昇用到着報知灯１３と隣接して設けられて点灯又は点滅可能な下降用到着報知灯、１５は上昇用到着報知灯１３と下降用到着報知灯１４との間に設けられてエレベータＥに対応する数字やアルファベット等のエレベータ基認識符号（図示せず）が設けられた符号板、１６はエレベータ扉１２を区切る壁１７に設置されて上昇用呼び釦１６ａ並びに下降用呼び釦１６ｂを上下に配置した発生器として機能するエレベータ呼び釦、１８は建物天井等に設けられた出発予告表示器、１９は壁１７に設けられた出発予告表示器、２０は出発予告表示器１８の底面等に設けられた発生器として機能する群管理用の検知センサーである。
【００３１】
なお、図１（Ａ）に示したように、上昇用到着報知灯１３と下降用到着報知灯１４、及び上昇用呼び釦１６ａと下降用呼び釦１６ｂは、エレベータホール１１が建物（全体図省略）の途中階である場合には上下双方が設けられているが、建物の最下階（若しくは、エレベータ駆動の最下階）の場合は、それ以下のエレベータかごの下降は考えられないので上昇用到着報知灯１３と上昇用呼び釦１６ａとが設置されて下降用到着報知灯１４と下降用呼び釦１６ｂとは設置されない。同様に、建物の最上階（若しくは、エレベータ駆動の最上階）の場合は、それ以上のエレベータかごの上昇は考えられないので下降用到着報知灯１４と下降用呼び釦１６ｂとが設置されて上昇用到着報知灯１３と上昇用呼び釦１６ａとは設置されない。
【００３２】
出発予告表示器１８，１９は、上下方向に三分割されており、上方から順に先発予告表示灯１８ａ，１９ａ、次発予告表示灯１８ｂ，１９ｂ、次次発予告表示灯１８ｃ，１９ｃが設けられている。
【００３３】
尚、出発予告表示器１８はエレベータホール１１の出入口付近二箇所に設けられ（図３参照）、その表面及び裏面の各々に、先発予告表示灯１８ａ，１９ａ、次発予告表示灯１８ｂ，１９ｂ、次次発予告表示灯１８ｃ，１９ｃが設けられている。
【００３４】
これにより、利用者は、エレベータホール１１の出入口（利用者にとっての入口）において、エレベータＥを利用しようとする際に出発予告表示器１８を確認してからエレベータホール１１内に移動しようとするため、検知センサー２０の感度（検知範囲の広がり）を広角に設定しなくても良くなり、安価な検知センサー２０を使用することができるという利点を有する。
【００３５】
先発予告表示灯１８ａ，１９ａには、図１（Ａ）に示すように、『今度の出発は○号機』等の先に出発するであろうエレベータかごを利用者に認識させるメッセージが表示される。同様に、次発予告表示灯１８ｂ，１９ｂには、『次の出発は×号機』等の次に出発するであろうエレベータかごを利用者に認識させるメッセージが表示される。また、次次発予告表示灯１８ｃ，１９ｃには、『その次の出発は△号機』等のその次に出発するであろうエレベータかごを利用者に認識させるメッセージが表示される。尚、○、△、×は、任意の数字若しくはアルファベット等の符号板１５に設けられたエレベータ基認識符号である。
【００３６】
この際、先発予告表示灯１８ａ，１９ａの表示文字色を黒色とすると共に周辺の表示背景色を緑色とし、次発予告表示灯１８ｂ，１９ｂの表示文字色を黒色とすると共に周辺の表示背景色を黄色とし、次次発予告表示灯１８ｃ，１９ｃの表示文字色を黒色とすると共に周辺の表示背景色を白色とするなど、異なった表示背景色あるいは、符号板１５も、各予告表示灯１８ａ，１９ａ，１８ｂ，１９ｂ，１８ｃ，１９ｃのそれぞれの表示背景色と連動して同色を表示させることも可能とすることで視認性並びに識別性を向上させることも可能である。また、縦横に複数配置したＬＥＤや液晶セルを用いて表示文字を形成すると共にその表示文字自体の色を異ならせても良い。
【００３７】
尚、出発予告表示器１８，１９は、三基以上のエレベータＥが設置された建物の場合、或いは、三基以上のエレベータＥが同一のエレベータホール１１に停止可能となっている場合には上述した三分割灯とし、二基のエレベータＥが設置された建物の場合、或いは、二基のエレベータＥが同一のエレベータホール１１に停止可能となっている場合等には二分割灯とするなど、その分割数は特に限定されるものではない。
【００３８】
また、途中階のエレベータホール１１の場合には、上昇と下降の両方向同時にエレベータかごの呼びが発生する場合も考え得るため、上昇用の出発予告表示器１８，１９と下降用の出発予告表示器１８，１９とを利用者が上昇用か下降用かの識別を可能とした上で設置しても良いし、左右に二分割（一つの表示器が合計六分割となる）としても良い。
【００３９】
図２は本発明の実施の形態に係るエレベータ用報知装置のブロック図である。
【００４０】
図２に示すように、各エレベータＥはエレベータ制御装置３０によって運行制御される。
【００４１】
このエレベータ制御装置３０は、各エレベータＥが相対的に群管理される場合には各エレベータＥの台数分だけ対応して設けられている。各エレベータ制御装置３０は、群管理制御装置３１と接続されて群管理されるが、その群管理自体は公知であると共に本発明の要部ではないので詳細な説明は省略し、以下、予告表示に関するものを主体として説明する。
【００４２】
群管理制御装置３１には、検知センサー２０並びにエレベータ呼び釦１６からの利用者検知信号（包括的なエレベータ呼び信号）に基づいてどの階のエレベータホール１１に利用者が来たのかを検知すると共に、その呼びのあった階のエレベータホール１１（基準階）において、先発するエレベータの順位を判断する先発基判断部３２が接続されている。
【００４３】
この際、検知センサー２０による利用者検知の場合には、利用者の人数を含んで検知することができる。また、群管理方式の場合には、エレベータ呼び釦１６からの呼びは無くても良い。
【００４４】
尚、群管理制御装置３１には、各階の検知センサー２０並びに各階のエレベータ呼び釦１６の他、エレベータかご内に設置の利用階呼び釦（図示せず）等からの指令信号が直接或いは各エレベータ制御装置３０を経由して入力される。
【００４５】
また、群管理制御装置３１は、上昇用到着報知灯１３と下降用到着報知灯１４の表示状態を個々に制御することも可能である（直接制御若しくは表示ドライバ等を介して間接制御）。
【００４６】
これにより、検知センサー２０が利用者を検知して最寄り階等に位置するエレベータかごが始動した後に、その利用者がエレベータ呼び釦１６のうちの上昇用呼び釦１６ａ或いは下降用呼び釦１６ｂの何れかを押圧して呼び操作をした時点で、その上昇呼びか下降呼びかに応じて上昇用到着報知灯１３或いは下降用到着報知灯１４を点滅させて、どのエレベータかごが最初に出発（或いは到着）するのかを認識させ、エレベータかごが実際に到着した時点或いはその直前に上昇用到着報知灯１３或いは下降用到着報知灯１４を点滅から点灯に切り換えるなどの予告・報知をすることができる。
【００４７】
この際、エレベータかごの現在位置と呼び階との距離、若しくは到着時間に応じて上昇用到着報知灯１３或いは下降用到着報知灯１４の点滅間隔を変化（周期を変化）させることにより、エレベータかごの出発（到着）に多少の時間を要するのか（点滅間隔が長い）、間もなく到着するのか（点滅間隔が短い）を容易に認識することができる。
【００４８】
先発基判断部３２は、少なくとも、エレベータかごの運転方向（上昇・下降・停止）、現在位置、かご呼び状況（エレベータかご内設置）、乗場呼び状況（エレベータホール１１）から先発するであろうエレベータかごを順位付けして判断し、その判断結果を表示判断部（表示ドライバー）３３に出力する。
【００４９】
尚、先発基判断部３２は、上述した判断材料のほか、検知センサー２０からの利用者数に対応するカウント数と各エレベータかごの許容乗員数とを比較して複数のエレベータかごに分散乗員されるか否かや乗降に要する予測停止時間、予め設定された停止可能階（例えば、各階止まり、１階から１３階まで直通し以降各階止まり等）、建物毎のエレベータ運行状況を考慮して決定されるが、その設定は任意である。また、条件設定に応じて予告出発を予告停止とすることも可能である。
【００５０】
表示判断部３３は、先発基判断部３２から出力された表示命令信号に基づいて先発予告表示灯１８ａ，１９ａ、次発予告表示灯１８ｂ，１９ｂ、次次発予告表示灯１８ｃ，１９ｃの個々に予告表示信号を出力し、出発予告表示器１８，１９を表示制御する。
【００５１】
次に、本発明のエレベータ用報知装置の利用例を説明する。
【００５２】
図３は本発明の実施の形態に係るエレベータ用報知装置を八基のエレベータ配置として適用した場合の利用者の流れを例示した説明図である。
【００５３】
尚、ここでは、図３に示すように、互いに隣接する４基のエレベータＥがエレベータホール１１を挟んで対向され（合計八基）、各エレベータＥに対して、上昇用到着報知灯１３、下降用到着報知灯１４、符号板１５が設置されているものとし、エレベータ呼び釦１６の設置数や設置位置は任意（図示せず）とすると共に、エレベータホール１１の出入口二箇所に出発予告表示器１８を配置した場合として説明する。
【００５４】
今、ある階のエレベータホール１１において利用者がいない場合、エレベータＥを利用しようとする利用者は、エレベータホール１１に向かって来ると共に、そのエレベータホール１１にて出発予告表示器１８を確認する。
【００５５】
この際、出発予告表示器１８には、何も表示がされていないため、利用者は自身が他の利用者がいないということと、この利用階でのエレベータホール１１にはエレベータ呼びがなされていないことを認識する。
【００５６】
この状態から、出発予告表示器１８の下方を通り過ぎると、検知センサー２０が自動的に利用者を認識し、包括的なエレベータ呼び信号を群管理制御装置３１へと出力する。
【００５７】
群管理制御装置３１は、上昇又は下降の稼動中か停止中かを含めた各エレベータＥの現在位置等の現在状況を各エレベータ制御装置３０から取得し、先発基判断部３２に現在情報を提供する。
【００５８】
先発基判断部３２は、このれらの現在情報に基づいて、どのエレベータＥのエレベータかごが新たに呼びのあったエレベータフロア１１から最初に出発するのか、どのエレベータＥのエレベータかごが次に出発するのか、どのエレベータＥのエレベータかごがその次に出発するのかを判断し、その判断結果を表示判断部３３に出力する。
【００５９】
表示判断部３３は、先発基判断部３２による判断結果に基づいて、各エレベータＥに対応したエレベータ基認識符号を合成したうえで、その出発予告メッセージを各予告表示灯１８ａ，１９ａ，１８ｂ，１９ｂ，１８ｃ，１９ｃに表示させる。
【００６０】
なお、このような表示制御は、建物の最下階や最上階であれば利用者の行先判断は自動的に限定されるため、検知センサー２０のみで出発順序の判断を即時に行うことができるが、建物の途中階の場合にはエレベータ呼び釦１６との併用のほうがより確実な利用とすることができる。
【００６１】
この際、エレベータＥの設置基数とリアルタイムでの稼動状況によっては、呼びのあった階に先発とするエレベータかごを移動させ、利用者自身がエレベータかご内での呼び操作で上昇又は下降をするといった応用も可能である。また、このような稼動状況が少ない時間帯等では、先発予告表示灯１８ａ，１９ａのみ表示し、後の次発予告表示灯１８ｂ，１９ｂ及び次次発予告表示灯１８ｃ，１９ｃの表示は休止しても良いし、次次発予告表示灯１８ｃ，１９ｃのみ休止しても良い。
【００６２】
さらに、建物の状況、例えば、途中階から上昇する利用者と下降する利用者が混在するデパート等の場合にはエレベータ呼び釦１６からの包括的なエレベータ呼びを優先し、途中階からは下降する利用者が殆どであるオフィスビルの場合には検知センサー２０からの包括的なエレベータ呼びを優先する等、群管理制御装置３１並びに先発基判断部３２の設定は適宜に対応することができることは勿論である。
【００６３】
ところで、上記実施の形態では、利用者にエレベータＥの各基の状態を報知する手段として出発予告表示器１８，１９の他、上昇用到着報知灯１３及び下降用到着報知灯１４を用いて到着を認識させるものを開示したが、例えば、各エレベータＥのエレベータかごが何階にいるのかを（上昇中・下降中・停止中を含む）認識させるための数字表示を使用しても良い。
【００６４】
この場合、利用者は、各エレベータＥの数字から一番早く到着するであろうエレベータかごを判断するのが一般的であるが、実際には到着するまでの途中階での乗客の乗降によって停止して他のエレベータかごのほうが先に到着・出発するということもあり得るため、本発明の出発予告表示器１８，１９はこのような数字表示を行う場合においても充分に効果を発揮することができる。
【００６５】
また、エレベータかご内での乗客数（重量）を検知し、検知センサー２０による同一階でのエレベータフロア１１での利用者カウント数とを比較し、先発するエレベータＥには、あと何人乗れるのかの利用可能人数を先発予告表示等１８ａ，１９ａの上述したメッセージに並列若しくは交互に表示し、次又はその次に出発するエレベータＥへの利用待ち変更を促すようにすることも可能である。
【００６６】
さらに、上昇用到着報知灯１３及び下降用到着報知灯１４は、先発予告表示灯１８ａ，１９ａと対応してエレベータかごの先発位置を利用者に認識させるために点滅し、エレベータかごが減速距離分だけ呼び出し階の手前に到着した時点で点灯に切り換えるようにすることも可能である。
【００６７】
この際、上昇用到着報知灯１３及び下降用到着報知灯１４の点滅（予告）・点灯（報知）時に異なったチャイム音等を併用して鳴動させても良い。
【００６８】
【発明の効果】
本発明のエレベータ用報知装置にあっては、以上説明したように構成したことにより、複数基のエレベータが同一エレベータホールで利用停止可能となっている場合に、どの順番にてエレベータかごが出発するのかを認識し得て、利用者の利用基判断を含めた焦燥感を除去することができる。
【図面の簡単な説明】
【図１】本発明の実施の形態に係るエレベータ用報知装置を示し、（Ａ）はエレベータ用報知装置の設置例を示すエレベータホールの説明図、（Ｂ）は出発予告表示器の正面図である。
【図２】本発明の実施の形態に係るエレベータ用報知装置のブロック図である。
【図３】本発明の実施の形態に係るエレベータ用報知装置を八基のエレベータ配置として適用した場合の利用者の流れを例示した説明図である。
【図４】従来のエレベータ用報知装置を示し、（Ａ）はエレベータ用報知装置の設置例を示すエレベータホールの説明図、（Ｂ）は到着予告表示器の正面図である。
【図５】八基のエレベータを設けた場合のエレベータ配置例の説明図である。
【符号の説明】
Ｅ　エレベータ、１１　エレベータホール、１２　エレベータ扉、１６　エレベータ呼び釦（発生器）、１６ａ　上昇用呼び釦、１６ｂ　下降用呼び釦、１８出発予告表示器、１８ａ　先発予告表示灯、１８ｂ　次発予告表示灯、１８ｃ次次発予告表示灯、１９　出発予告表示器、１９ａ　先発予告表示灯、１９ｂ次発予告表示灯、１９ｃ　次次発予告表示灯、２０　検知センサー（発生器）、３１　群管理制御装置（判断部）、３２　先発基判断部（判断部）。
【図１】
2004018182.tif 000003
【図２】
2004018182.tif 000004
【図３】
2004018182.tif 000005
【図４】
2004018182.tif 000006
【図５】
2004018182.tif 000007